(57)【要約】第１のデータ転送速度を有する第１の無線アクセス網と、前記第１のデータ転送速度よりも高速の第２のデータ転送速度を有する第２の無線アクセス網とを含む相互接続環境において移動端末を用いてビデオ番組をダウンロードし表示する方法である。ビデオ番組は、第１又は第２の無線アクセス網を通じて、第１及び第２のデータ転送速度で夫々ダウンロードされる。ダウンロードされたビデオ番組は所定の再生速度で表示される。ビデオ番組がダウンロードされる速度が所定の再生速度を超えたときに生ずるダウンロードされたビデオ番組の過剰部分はバッファリングされる。第１のデータ転送速度よりも低い第３のデータ転送速度は、所定の再生速度、バッファリングされた過剰部分、及びビデオ番組の残りの持続時間に応じて計算される。第１のデータ転送速度と第３のデータ転送速度の間の差が閾値水準を超えたときは、ビデオ番組をダウンロードするための第３のデータ転送速度について第１のアクセス網と交渉される。
2005531220.tif 000002
【特許請求の範囲】
【請求項１】
第１のデータ転送速度を有する第１の無線アクセス網と、前記第１のデータ転送速度よりも高速の第２のデータ転送速度を有する第２の無線アクセス網とを含む相互接続環境において移動端末を用いてビデオ番組をダウンロードし表示する方法であって、
前記第１又は第２の無線アクセス網を通じて、前記ビデオ番組を第１及び第２のデータ転送速度で夫々ダウンロードし、前記ビデオ番組は前記移動端末が前記第２の無線アクセス網のカバレッジエリア内にあるときは前記第２のデータ転送速度でダウンロードされる、段階と、
前記ダウンロードされたビデオ番組を所定の再生速度で表示する段階と、
前記ビデオ番組がダウンロードされる速度が前記所定の再生速度を超えたときに生ずる前記ダウンロードされたビデオ番組の過剰部分をバッファリングする段階と、
前記所定の再生速度、前記バッファリングされた過剰部分、及び前記ビデオ番組の残りの持続時間に応じて、前記第１のデータ転送速度よりも低い第３のデータ転送速度を計算する段階と、
前記第１のデータ転送速度と前記第３のデータ転送速度の間の差が閾値水準を超えたときは、前記ビデオ番組をダウンロードするための前記第３のデータ転送速度について前記第１のアクセス網と交渉する段階とを有する、方法。
【請求項２】
前記第３のデータ転送速度は、
Ｒp−Ｂｔ／Ｔ
に等しく、但し、Ｒpは所定の再生速度であり、Ｂｔは前記ダウンロードされたビデオ番組のバッファリングされた過剰部分の量であり、Ｔは再生されるべき前記ビデオ番組の残りの持続時間である、請求項１記載の方法。
【請求項３】
前記移動端末が前記第２の無線アクセス網のカバレッジエリアを出て、前記第１の無線アクセス網のカバレッジエリア内にあるとき、前記第１の無線アクセス網から前記第３のデータ転送速度を用いて前記ビデオ番組をダウンロードすることを続ける段階を更に含む、請求項１記載の方法。
【請求項４】
前記交渉する段階は、前記移動端末が前記第２の無線アクセス網のカバレッジエリア内にあるときに行われる、請求項１記載の方法。
【請求項５】
前記交渉する段階は、前記移動端末が前記第２の無線アクセス網のカバレッジエリアを出た後に行われる、請求項１記載の方法。
【請求項６】
前記第１の無線アクセス網は３Ｇセルラー網である、請求項１記載の方法。
【請求項７】
前記第２の無線アクセス網は、無線ローカル・エリア・ネットワーク（ＷＬＡＮ）である、請求項１記載の方法。
【請求項８】
第１のデータ転送速度を有する第１の無線アクセス網と、前記第１のデータ転送速度よりも高速の第２のデータ転送速度を有する第２の無線アクセス網とを含む相互接続環境においてビデオ番組をダウンロードし表示する移動端末であって、
前記第１又は第２の無線アクセス網を通じて、前記ビデオ番組を第１及び第２のデータ転送速度で夫々ダウンロードし、前記ビデオ番組は前記移動端末が前記第２の無線アクセス網のカバレッジエリア内にあるときは前記第２のデータ転送速度でダウンロードされる、受信器と、
前記第１又は第２の無線アクセス網へデータを送信する送信器と、
前記ダウンロードされたビデオ番組を所定の再生速度で表示するディスプレイと、
前記ビデオ番組がダウンロードされる速度が前記所定の再生速度を超えたときに生ずる前記ダウンロードされたビデオ番組の過剰部分をバッファリングするメモリ装置と、
前記所定の再生速度、前記バッファリングされた過剰部分、及び前記ビデオ番組の残りの持続時間に応じて、前記第１のデータ転送速度よりも低い第３のデータ転送速度を計算し、前記第１のデータ転送速度と前記第３のデータ転送速度の間の差が閾値水準を超えたときは、前記ビデオ番組をダウンロードするための前記第３のデータ転送速度を前記第１のアクセス網の交渉を制御するプロセッサとを有する、移動端末。
【請求項９】
前記第３のデータ転送速度は、
Ｒp−Ｂｔ／Ｔ
に等しく、但し、Ｒpは所定の再生速度であり、Ｂｔは前記ダウンロードされたビデオ番組のバッファリングされた過剰部分の量であり、Ｔは再生されるべき前記ビデオ番組の残りの持続時間である、請求項１０記載の移動端末。
【請求項１０】
前記受信器は、前記移動端末が前記第２の無線アクセス網のカバレッジエリアを出て、前記第１の無線アクセス網のカバレッジエリア内にあるとき、前記第１の無線アクセス網から前記第３のデータ転送速度を用いて前記ビデオ番組をダウンロードすることを続ける、請求項１０記載の移動端末。
【請求項１１】
前記第３のデータ転送速度は、前記移動端末が前記第２の無線アクセス網のカバレッジエリア内にあるときに交渉される、請求項１０記載の移動端末。
【請求項１２】
前記第３のデータ転送速度は、前記移動端末が前記第２の無線アクセス網のカバレッジエリアを出た後に交渉される、請求項１０記載の移動端末。
【請求項１３】
前記第１の無線アクセス網は３Ｇセルラー網である、請求項１０記載の移動端末。
【請求項１４】
前記第２の無線アクセス網は、無線ローカル・エリア・ネットワーク（ＷＬＡＮ）である、請求項１０記載の移動端末。
【発明の詳細な説明】
【技術分野】
【０００１】
本発明は概してネットワーキングに関連し、特に、第１のデータ転送速度を有する第１の無線アクセス網と、第２のデータ転送速度を有する第２の無線アクセス網とを含む相互接続（interworking）環境においてビデオ番組をダウンロードし表示する方法及び移動端末に関連する。
【背景技術】
【０００２】
例えば第３世代（３Ｇ）セルラー網及び無線ローカル・エリア・ネットワーク（ＷＬＡＮ）といった２つの網を含む相互接続環境において、ＷＬＡＮの増加した帯域幅をうまく利用することが望ましい。至る所にある（ユビキタスな）低速無線アクセス網をより高速のローカルなマイクロセルと結合させることは、或るエリアでは高速な広いカバレッジを与える。これに関して、移動端末がＷＬＡＮのより高い帯域幅のカバレッジエリアを定期的に横切る場合は、移動端末はより高いデータ転送速度へアップグレードされうる。データ転送速度の再交渉は、高いデータ転送速度でのビデオ番組の部分のダウンロードの後に所望でありうる。しかしながら、ネットワークの一時的な輻輳により、網からデータ転送速度（サービスの質（ＱｏＳ））をアップグレードすることが可能ではないかもしれないため、かかる再交渉によって問題が生じうる。このような場合、ＱｏＳ交渉は、常に成功するとはかぎらない。
【発明の開示】
【発明が解決しようとする課題】
【０００３】
従って、上述の欠点を克服しつつ、相互接続環境において増加された帯域幅をうまく利用することが可能な方法及び移動端末を有することが望ましく、非常に有利である。
【課題を解決するための手段】
【０００４】
上述の問題、並びに、従来技術の他の関連する問題は、相互接続環境における移動端末によるビデオ番組のダウンロード及び表示を管理する方法及び移動端末に関連する本発明により解決される。本発明は、より低い帯域幅のエリアにおけるデータ転送速度を低下させるよう相互接続環境のより高い帯域幅のエリアにおいて与えられる増加された帯域幅を利用する。このことは、例えばユーザがより低い帯域幅のエリアを用いることの費用を減少させること、及び、ＱｏＳ要件の再交渉が成功する確率等を含む、ユーザに対する多くの付随的な利点を与える。
【０００５】
本発明の１つの面によれば、相互接続環境において移動端末を用いてビデオ番組をダウンロードし表示する方法が提供される。相互接続環境は、第１のデータ転送速度を有する第１の無線アクセス網と、第１のデータ転送速度よりも高速の第２のデータ転送速度を有する第２の無線アクセス網とを含む。ビデオ番組は、第１又は第２の無線アクセス網を通じて、第１及び第２のデータ転送速度で夫々ダウンロードされ、ビデオ番組は移動端末が第２の無線アクセス網のカバレッジエリア内にあるときは第２のデータ転送速度でダウンロードされる。ダウンロードされたビデオ番組は所定の再生速度で表示される。ビデオ番組がダウンロードされる速度が所定の再生速度を超えたときに生ずるダウンロードされたビデオ番組の過剰部分がバッファリングされる。所定の再生速度、バッファリングされた過剰部分、及びビデオ番組の残りの持続時間に応じて、第１のデータ転送速度よりも低い第３のデータ転送速度が計算される。第３のデータ転送速度は、上述に関して現在のビデオの質を維持するのに必要な速度に対応する。第１のデータ転送速度と第３のデータ転送速度の間の差が閾値水準を超えたときは、ビデオ番組をダウンロードするための第３のデータ転送速度について第１のアクセス網と交渉される。
【０００６】
本発明の他の面によれば、相互接続環境においてビデオ番組をダウンロードし表示する移動端末が提供される。相互接続環境は、第１のデータ転送速度を有する第１の無線アクセス網と、第１のデータ転送速度よりも高速の第２のデータ転送速度を有する第２の無線アクセス網とを含む。受信器は、第１又は第２の無線アクセス網を通じて、ビデオ番組を第１及び第２のデータ転送速度で夫々ダウンロードし、ビデオ番組は移動端末が第２の無線アクセス網のカバレッジエリア内にあるときは第２のデータ転送速度でダウンロードされる。ディスプレイは、ダウンロードされたビデオ番組を所定の再生速度で表示する。メモリ装置は、ビデオ番組がダウンロードされる速度が所定の再生速度を超えたときに生ずるダウンロードされたビデオ番組の過剰部分をバッファリングする。プロセッサは、所定の再生速度、バッファリングされた過剰部分、及びビデオ番組の残りの持続時間に応じて、第１のデータ転送速度よりも低い第３のデータ転送速度を計算する。プロセッサは、第１のデータ転送速度と第３のデータ転送速度の間の差が閾値水準を超えたときは、ビデオ番組をダウンロードするための第３のデータ転送速度を第１のアクセス網の交渉を制御するプロセッサとを有する。
【発明を実施するための最良の形態】
【０００７】
本発明は、相互接続環境においてビデオ番組をダウンロードし表示する方法及び移動端末に関連する。本発明は、より低い帯域幅のエリアにおいて低下されたデータ転送速度（ＱｏＳ）を交渉するために、相互接続環境のより高い帯域幅のエリアにおいて与えられるより高い帯域幅を利用する。更に、本発明は、ビデオの質を低下させることなくより低い帯域幅のエリアにおいてサービス品質（ＱｏＳ）の再交渉を保証する方法を提供する。本願では、「ビデオ番組」の用語は、少なくともビデオデータを含み、例えばオーディオデータ等の他のデータを含んでも含まなくてもよい番組を指すものとする。
【０００８】
本発明は、様々な形のハードウエア、ソフトウエア、ファームウエア、専用プロセッサ、又はそれらの組合せとして実現されうる。望ましくは、本発明は、ハードウエアとソフトウエアの組合せとして実現される。更に、ソフトウエアは、プログラム記憶装置に有形に具現化されたアプリケーションプログラムとして実現されることが望ましい。アプリケーションプログラムは、任意の適当なアーキテクチャを有する機械にアップロードされ、機械によって実行されうる。望ましくは、機械は、１つ又はそれ以上の中央処理装置（ＣＰＵ）、ランダム・アクセス・メモリ（ＲＡＭ）、及び、入力／出力（Ｉ／Ｏ）インタフェースといったハードウエアを有するコンピュータプラットフォーム上で実現される。コンピュータプラットフォームはまた、オペレーティングシステム及びマイクロ命令コードを含む。本願に記載される様々な処理及び機能は、マイクロ命令コードの一部又はオペレーティングシステムを介して実行されるアプリケーションプログラムの一部（又はそれらの組合せ）のいずれかであってもよい。更に、追加的なデータ記憶装置及び印刷装置といった様々な他の周辺装置がコンピュータプラットフォームに接続されてもよい。
【０００９】
更に、添付の図面に示すシステム構成要素及び方法の段階のうちのいくつかはソフトウエア中に実現されることが望ましいため、システム構成要素間（又は方法の段階間）の実際の接続は、本発明がプログラムされる方法によって異なりうる。本願の教示が与えられると、当業者は、本発明の上述又は同様の実施又は形態を考えることが可能となろう。
【００１０】
本発明は、相互接続環境に関連する。かかる相互接続環境は、例えば、至る所にある（ユビキタスな）低速の第１の無線アクセス網をはるかにより高速のデータ転送速度及びより低いアクセス費用を有する第２の無線アクセス網を含みうる。本発明は、比較的高い移動可能性を有するユーザが、記憶されたビデオストリーミング用途においてかかる環境を完全に利用することを可能とする。
【００１１】
本発明が適用されうる低速無線アクセス網（例えば上述の無線Ａ）は、第３世代（３Ｇ）、第２世代プラス（２．５Ｇ）、第２世代（２Ｇ）、第１世代（１Ｇ）のセルラー網等といった固定の又は移動のワイヤレス・ワイド・エリア・ネットワークを含むが、これらに限られるものではない。本発明が適用されうる高速無線アクセス網（例えば上述の無線Ｂ）は、無線ローカル・エリア・ネットワーク（ＷＬＡＮ）等を含むが、これらに限られるものではない。ＷＬＡＮは、例えば、ＩＥＥＥ８０２．１１又はＨｉｐｅｒｌａｎ２に準拠するものでありうる。
【００１２】
提示の便宜上、本発明の以下の説明は、一般的には第１の無線アクセス網として３Ｇセルラー網を用い、第２の無線アクセス網としてＷＬＡＮを用いるものとする。しかしながら、本発明は、上述の通信技術及びネットワークの種類に限られるものではなく、従って、本発明の趣旨及び範囲を保ちつつ本発明によって他の通信技術及びネットワークの種類が用意に利用されうることが認められるべきである。更に、本発明は、本発明の趣旨及び範囲を保ちつつ、２つ以上の網の間の相互接続に対しても適用されうることが認められるべきである。更に、本発明は、本発明の趣旨及び範囲を保ちつつ相互接続の一部である全ての網又は一部の網に対して適用されうることが認められるべきである。
【００１３】
本発明の例示的な実施例によれば、移動端末は、第１の無線アクセス網から第１のデータ転送速度でビデオ番組をダウンロードし、移動端末が第２の無線アクセス網のカバレッジエリアを横切ると第２のデータ転送速度でダウンロードする。ダウンロードされた番組データは、所定の再生速度で処理され、表示装置に表示される。第２の無線アクセス網エリア内のより高速のデータ転送速度により、過剰な番組データが生じうる。ダウンロード速度が再生速度を超えるときに生ずる過剰な番組データは、メモリ装置にバッファリングされる。第３のデータ転送速度は、所定の再生速度、バッファリングされた過剰部分、及びビデオ番組の残りの持続時間に応じて計算されうる。この第３のデータ転送速度は、上述の要因に関して要求されるデータ転送速度に対応する。第１のデータ転送速度と第３のデータ転送速度の間の差が十分であるとき、即ち閾値水準を超えるとき、移動端末は、ビデオ番組をダウンロードするために、第１の無線アクセス網と、第１のデータ転送速度よりも低い第３のデータ転送速度について再交渉する。これは、ビデオ再生時間の残りについてデータ転送速度が第３のデータ転送速度へと低下しても、ビデオの質が低下しないことを保証する。
【００１４】
図１は、本発明の例示的な実施例による、本発明が適用されうる移動端末１００を示すブロック図である。移動端末１００は、受信器１１０、送信器１２０、ディスプレイ１３０、メモリ１４０、及びプロセッサ１５０を含み、全てがバス１７９によって相互に接続されている。受信器１１０及び送信器１２０は、２つの無線アクセス網のうちのいずれか一方からデータを受信し／データを送信するよう構成される。移動端末は、セルラー電話機、パーソナル・ディジタル・アシスタント（ＰＤＡ）、ラップトップコンピュータ等でありうるが、これらに限られるものではない。これらの装置中のかかる要素の配置及び動作は、当業者により周知である。
【００１５】
図２は、本発明の例示的な実施例による、本発明が適用されうる相互接続環境２００を示す図である。相互接続環境２００は、例示的な実施例では３Ｇ網である第１の無線アクセス網２１０と、例示的な実施例ではそれを通じて分散されたＷＬＡＮである第２の無線アクセス網エリア２２０とを含む。移動端末１００は、おそらくは２重のカバレッジエリアを含む第１及び第２の無線アクセス網を通って移動する。第１の無線アクセス網及び第２の無線アクセス網のいずれからも到達可能なサーバ２７０は、ビデオ番組が移動端末１００へダウンロードされうる源を提供する。
【００１６】
本発明は、図２に関連して図示され説明された相互に接続される環境に厳密に限られるものではなく、従って、本発明の趣旨及び範囲を保ちつつ他の相互接続環境もまた使用されうることが認められるべきである。
【００１７】
移動端末（ＭＴ）は、いったんＷＬＡＮセルに入ると、より高速なＷＬＡＮデータ転送速度でローカルな記憶装置へのビデオ番組のダウンロードを開始する。ダウンロード速度と再生速度の間にずれがあるとき、ダウンロードの開始からいくらか時間が経過すると、ＭＴは、いくらかの量のバッファリングされたビデオを有する。バッファリングされた量を利用する１つの方法は、いったんＭＴが３Ｇカバレッジエリアに入るとＱｏＳ要件（データ転送速度）を減少させ、それにより３Ｇアクセスの費用を低下させることである。このオプションにより、ビデオの質がビデオセッションの残りを通じて低下されなくなることが保証されることが望ましい。しかしながら、３Ｇ網上のＱｏＳ要件がいったん低下すると、ＱｏＳ要件がいくらか後の時間においてアップグレードされうると想定することはできない。問題となるのは、例えば網内の一時的な輻輳により、網が速度を高める要求を遵守することが出来ないかもしれないことである。従って、本発明は、ビデオセッションの残りに対して同じ質を保証しつつ、データ転送速度を有利に低下させる方法を提供する。
【００１８】
例示のために、本願では以下の表記を用いる。
バッファリングされた量：Ｂt
３Ｇカバレッジエリア内のデータ転送速度：Ｒg
再生速度：Ｒp
ビデオの残りについての持続時間：Ｔ
更に、以下の制約条件を用いる。
（Ｒp−Ｒg）＊Ｔ＜＝Ｂt
ＭＴは、上述の制約条件に基づいて新しい要求される速度を計算する。
Ｒg’＝Ｒp−Ｂt／Ｔ
ＭＴが、新しい要求される速度と第１のデータ転送速度との間に、速度について網と再交渉するのに十分な差があると決定すると、移動端末はこの新しい速度を用いて３Ｇ網と再交渉する。速度の差が十分であるかは、所定の閾値水準に基づいて決定されえ、又は、要望通り番組に対して調整されうる。新しい速度Ｒg’は、古い速度Ｒgよりも必ず小さいことが明らかである。このことは、以下のことからより明らかとなる。ＷＬＡＮセルに入らなかった場合、以下の式が得られる。
Ｒg＝Ｒp−Ｂold／Ｔ
ここで、ＢoldはＷＬＡＮセルに入らなかった場合のバッファリングされた量である。ＢtはＢoldよりも大きく、従ってＲg’＜Ｒgであることが明らかである。従って、再交渉は常に成功する。
【００１９】
図３は、本発明の例示的な実施例により、第１の無線アクセス網及び第２の無線アクセス網を含む相互接続環境においてビデオ番組をダウンロードし表示する段階を示すフローチャートである。図３の例示的な実施例では、第１の無線アクセス網は、移動端末と第１の無線アクセス網の間で交渉されうる第１のデータ転送速度を有し、第２の無線アクセス網は第１のデータ転送速度よりも高速の第２のデータ転送速度を有する。
【００２０】
移動端末が第２の無線アクセス網のカバレッジエリア内にあるかどうかが判定される（ステップ３０５）。そうであれば、移動端末は、まだ第２の無線アクセス網に加わっていなければ、第２の無線アクセス網に加わり、第２の（より高速な）データ転送速度でビデオ番組をダウンロードする（ステップ３１５）。データ転送速度はデータが処理され表示される速度よりも高速であるため、過剰が生じ、ステップ３２５において、過剰なデータは、バッファリングされるか、メモリ装置に記憶される。
【００２１】
移動端末が第２の無線アクセスのカバレッジエリア内に入っていない場合、移動端末は、第１の無線アクセス網のカバレッジエリア内にあるかどうかを判定する（ステップ３１０）。そうでなければ、方法は終了する。そうであれば、移動端末は、第１の無線アクセス網との間で交渉したデータ転送速度でビデオ番組をダウンロードする（ステップ３２０）。
【００２２】
ダウンロードされたビデオ番組は、所定の再生速度で表示装置上に表示される（ステップ３３０）。ダウンロードされたビデオ番組が表示されるにつれ、移動端末は、定期的に又は連続的に、所定の再生速度、バッファリングされた過剰な部分、及びビデオ番組の残りの持続時間に応じて新しいデータ速度を計算する（３３５）。新しいデータ速度は、ビデオ番組のバッファリングされた過剰な部分及びビデオ番組の残りの時間に関してビデオ表示の質を維持するのに必要とされるデータ速度を反映する。
【００２３】
次に、移動端末は、ステップ３３５において決定された新しいデータ速度と、現在交渉されている第１の無線アクセス網とのデータ転送速度の間の差が、閾値水準を超えるかどうかを判定する。閾値水準は、設定された所定の水準であってもよく、又は要望どおり調整されてもよい（ステップ３４０）。閾値は、例えば、再生されるべきビデオ番組の残りの持続時間に、所定の再生速度と第１のデータ転送速度の間の差を掛け合わせたものに等しいものであってもよい。上述の表記を用いると、上述の閾値（threshold）は、以下の式、
threshold＝Ｔ＊（Ｒp−Ｒg）
で表わせる。
【００２４】
差が閾値水準を超えない場合、方法はステップ３０５へ戻り、要望どおりビデオ番組の残りのダウンロードを続ける。差が閾値を超える場合、方法はステップ３４５へ進み、第１の無線アクセス網と、以前に交渉されたデータ転送速度よりも低い新しいデータ転送速度を再交渉する。方法は、要望通りビデオ番組のダウンロードを続けるようステップ３０５へ戻る。
【００２５】
第１の無線アクセス網と第２の無線アクセス網との間にいくらかの重なり合うカバレッジエリアがある可能性があるとすると、移動端末による第１の無線アクセス網との新しいデータ転送速度の交渉は、かかる交渉が可能な如何なる時間においても行われることができ、これは移動端末が第２の無線アクセス網のカバレッジエリア内から完全に出るまで待っている時間（又は待ちなし）を含む。すなわち、本願発明の教示によれば、当業者は、第１及び第２の無線アクセス網のカバレッジエリア内に関して移動端末の配置に関して交渉がなされうる上述の及び他の様々な時点を考えるであろう。
【００２６】
また、移動端末は、第１の無線アクセス網のカバレッジエリア内の中にあった場合も無かった場合もあり、ステップ３０５において決定されるように第２の無線アクセス網のカバレッジエリア内に入る前に（第１の（より低速の）データ転送速度で）当該エリア内でビデオをダウンロードすることが認められる。即ち、本発明は、本発明の利益を得るために様々な網を通じて移動端末による如何なる特定の又は予め指定された一連の動きも必要としない。必要なのは、ダウンロードされたビデオ番組のバッファリングされた過剰な部分が、第１のデータ転送速度と新しいデータ転送速度との間に十分な差が生じうるよう、バッファ中に累積されるべきであるということだけである。
【００２７】
有利には、本発明は、「時々交差する」ＷＬＡＮセルによる直接的な利益として網のＱｏＳ要件（従って費用）を減少させる。更に、本発明は、有利には、網とのＱｏＳ要件再交渉が常に成功するような方法を提供する。更に、本発明は、ビデオセッションの間中、質の低下を生じさせない。
【００２８】
本願では、添付の図面を参照して例示的な実施例について説明したが、本発明は厳密にこれらの実施例に限られるものではなく、本発明の範囲又は趣旨を逸脱することなく当業者によれば様々な他の変形及び変更がなされうることが理解されるべきである。例えば、本発明の実施例について、ビデオ番組を参照して説明したが、本発明は、オーディオ番組、並びに、無線アクセス網を通じてダウンロードされうる他のマルチメディア番組に対しても適用可能であることが明らかである。全てのかかる変形及び変更は、本願の特許請求の範囲に定義される本発明の範囲内に含まれることが意図される。
【図面の簡単な説明】
【００２９】
【図１】本発明の例示的な実施例による、本発明が適用されうる移動端末１００を示すブロック図である。
【図２】本発明の例示的な実施例による、本発明が適用されうる相互接続環境２０を示すブロック図である。
【図３】本発明の例示的な実施例による、相互接続環境において移動端末を用いてビデオ番組をダウンロードし表示する段階を示すフローチャートである。
【図１】
2005531220.tif 000003
【図２】
2005531220.tif 000004
【図３】
2005531220.tif 000005
【国際調査報告】
2005531220.tif 000006